(57)【特許請求の範囲】
【請求項１】
固定体及び該固定体に移動可能に支持される可動体のいずれか一方に設けられる引込本体と、他方に設けられて前記可動体の所定の移動位置にて前記引込本体の一部と係脱可能に係合するストライカーとからなる可動体の引込機構において、
前記引込本体は、前記ストライカーを受入可能な空所を有したケースと、縦溝である直線溝部を有して前記ケースに移動可能に収納されたスライダーと、前記ストライカーに当接する斜面部及び鉤部と共に前記直線溝部に嵌合している突起を有し、前記突起及び前記直線溝部からなる規制手段を介して前記スライダーに対し該スライダーの移動方向と略直交する方向に摺動可能に組み込まれている係止部材と、前記スライダーの移動過程で付勢力を蓄積する付勢手段とからなり、
前記ケースは、前記突起を係止して前記付勢手段を付勢力蓄積状態に保持する待ち受け保持部、及び前記突起の摺動を許容して前記係止部材を前記スライダーと共に移動可能にするガイド部からなる案内溝を備え、
前記係止部材は、前記ストライカーの前記斜面部又は前記鉤部への当接により前記規制手段を介して前記スライダーの移動方向と略直交する方向への摺動を伴って、前記突起を、前記待ち受け保持部から係止解除して前記ガイド部へ移行した付勢力解放状態と、前記ガイド部から移行して前記待ち受け保持部に係止した付勢力蓄積状態とに切り換える、ことを特徴とする引込機構。
【請求項２】
前記係止部材は、前記突起を前記待ち受け保持部に係止した付勢力蓄積状態から、前記斜面部に対する前記ストライカーの当接により該係止部材の摺動を伴って前記突起を係止解除して前記ガイド部に移行し、かつ前記斜面部を前記空所から逃がし、前記鉤部をストライカーに当接係合して前記係止部材、前記スライダー、前記ストライカーを一体として引込可能にすることを特徴とする請求項１に記載の引込機構。
【請求項３】
前記係止部材は、前記突起を前記ガイド部に移行した付勢力解放状態から、前記鉤部に対する前記ストライカーの当接係合を介して前記係止部材、前記スライダー、前記ストライカーを一体として移動することにより該係止部材の摺動を伴って前記付勢力蓄積状態に切り換え、かつ前記斜面部を前記空所に戻し、前記鉤部を前記空所から逃がすことを特徴とする請求項１に記載の引込機構。
【請求項４】
前記ストライカーは、保持部材に対し付勢力に抗して突出寸法を変位可能に支持され、又は／及び、前記固定体ないしは前記可動体に装着された取付状態で前記保持部材を介して所定寸法だけ移動可能に支持されることにより、前記引込本体との相対的位置を調整可能になっていることを特徴とする請求項１から３の何れかに記載の引込機構。
【発明の詳細な説明】
【技術分野】
【０００１】
本発明は、固定体に対する可動体の移動操作を助ける引込機構のうち、ストライカー及び引込本体並びに可動体の移動過程で付勢力を蓄積する付勢手段を備え、ストライカーが引込本体に係合した状態で付勢手段に蓄積された付勢力により可動体を引き込むようにした引込機構に関する。
【背景技術】
【０００２】
図９は特許文献１に開示されている構造を示し、符号２１は固定体側開口部の枠上辺に取り付けられる引込本体（引戸クローザ）であり、符号３は可動体である引戸側に設けられるストライカー（係合ピン）である。この引込本体２１は、ケース２２と、フック体３６と、付勢ばね３５等からなる。ケース２２は、矩形容器状をなし、一端側から長手方向に延びている係合溝部２５と、摺動溝部３１（直線溝部３２及び直線溝部３２の一端側で折り曲げられている回動溝部３３からなる）とを形成している。フック体３６は、ストライカー３を係脱する保持凹部４６と、摺動溝部３１に嵌合する係合凸部４４，４５とを形成している。付勢ばね３５は、一端をフック体３６に係止し、他端をケース２２側に係止した状態で、フック体３６を摺動溝部３１の他端側へ付勢しており、引戸が閉位置から開方向へ摺動される過程で付勢力を蓄積する。ストライカー３は、引戸の上端面に対し自動復帰機構４を介してプレート５の摺動孔８に沿って揺動可能、かつ不図示の付勢力で復帰可能に取り付けられている。
【０００３】
以上の引込機構では、引戸の閉操作によって同（ａ）のごとくストライカー３を本体側の引込本体２１へ向けて移動させる。すると、ストライカー３は、係合溝部２５に嵌合され、この係合溝部２５に沿って摺動した後、同（ｂ）の図ごとくフック体３６の保持凹部４６と係合して保持される。この過程において、フック体３６は、係合凸部４４が摺動溝部３１の回動溝部３３に案内されながら、係合凸部４５を中心として回転して待機姿勢から引込姿勢に変化した後、直線溝部３２に嵌合する。この嵌合により、フック体３６は、ストライカー３を係合した状態で、付勢ばね３５の付勢力にてケース２２の後端側へと摺動されて引き込みを完了させる。また、この状態から、引戸の開操作によって、ストライカー３がフック体３６と共にケース２２の前端側へ摺動され、付勢ばね３５に付勢力を蓄積する。更に引戸が開操作されると、フック体３６は、自動復帰機構４を介したストライカー３の復帰作動により、係合凸部４４が直線溝部３２から回動溝部３３へ移行されて同（ａ）の待機姿勢へと切り換えられる。なお、このような引込構造は、引戸に限られず引出体であっても同様に適用可能である。
【特許文献１】特開２００５−２９０７６９号公報
【発明の開示】
【発明が解決しようとする課題】
【０００４】
上記した引込機構では、引戸や引出体が閉操作されるとき、途中から付勢手段の付勢力により閉位置まで自動的に切り換えられるため、引戸の不完全な閉状態の発生を確実に解消できる。しかしながら、この引込機構では、フック体が摺動溝部のうち、回動溝部から直線溝部に回転されるよう付勢ばねが設けられているが、位置ずれや振動等によりフック体側の係合凸部が回動溝部に移行する手前で、フック体とストライカーとの係合が外れ、フック体が蓄えられた付勢力で引き込み方向へ移動するという誤作動を生じ易かった。なお、可動体が引出体の場合は、該引出体の積載量や収納荷重の変化により、ストライカーと引込本体が相対的に位置ずれし正常に作動しなくなるという虞もあった。
【０００５】
本発明は、可動体を途中から付勢力で引き込む引込機構として、該可動体を勢いよく押し込めるときの跳ね返りを防いだり可動体の不完全な押入状態の発生を防ぐ上で好適であり、特に、上記したような誤作動を確実に解消することを目的としている。他の目的は、ストライカーと引込本体の相対位置が変化しても該変化を吸収して良好な作動を保ち、それらにより誤作動の発生を防いで信頼性を向上することにある。
【課題を解決するための手段】
【０００６】
上記した目的を達成するため本発明は、固定体及び該固定体に移動可能に支持される可動体のいずれか一方に設けられる引込本体と、他方に設けられて前記可動体の所定の移動位置にて前記引込本体の一部と係脱可能に係合するストライカーとからなる可動体の引込機構において、前記引込本体は、前記ストライカーを受入可能な空所を有したケースと、縦溝である直線溝部を有して前記ケースに移動可能に収納されたスライダーと、前記ストライカーに当接する斜面部及び鉤部と共に前記直線溝部に嵌合している突起を有し、前記突起及び前記直線溝部からなる規制手段を介して前記スライダーに対し該スライダーの移動方向と略直交する方向に摺動可能に組み込まれている係止部材と、前記スライダーの移動過程で付勢力を蓄積する付勢手段とからなり、前記ケースは、前記突起を係止して前記付勢手段を付勢力蓄積状態に保持する待ち受け保持部、及び前記突起の摺動を許容して前記係止部材を前記スライダーと共に移動可能にするガイド部からなる案内溝を備えている。そして、前記係止部材は、前記ストライカーの前記斜面部又は前記駒部への当接により前記規制手段を介して前記スライダーの移動方向と略直交する方向への摺動を伴って、前記突起を、前記待ち受け保持部から係止解除して前記ガイド部へ移行した付勢力解放状態と、前記ガイド部から移行して前記待ち受け保持部に係止した付勢力蓄積状態とに切り換えることを特徴としている。
【０００７】
以上の本発明において、固定体は引出体用収納本体や引戸用枠本体などが含まれる。可動体は、引出体や引戸などであり、固定体に対し往復移動される関係であればよい。引込本体及びストライカーは、固定体と可動体とに対応して設けられて、固定体に対する可動体の所定の移動位置（例えば、可動体が引出体であれば、該引出体の押入途中）でストライカーが引込本体を構成している係止部材に係合して、付勢手段に蓄積された付勢力により可動体を引込可能にする関係であればよい。また、付勢力蓄積状態では、付勢手段がスライダーの移動を介して付勢力を最大まで蓄積し、突起が案内溝の待ち受け保持部に係止することによりその状態を保持している。付勢力解放状態では、突起が案内溝のガイド部に移行されており、付勢手段がスライダーの移動を介して付勢力を放出している。
【０００８】
以上の本発明は次のように具体化されることがより好ましい。
（１）請求項１において、前記係止部材は、前記突起を前記待ち受け保持部に係止した付勢力蓄積状態から、前記斜面部に対する前記ストライカーの当接により該係止部材の摺動を伴って前記突起を係止解除して前記ガイド部に移行し、かつ前記斜面部を前記空所から逃がし、前記鉤部をストライカーに当接係合して前記係止部材、前記スライダー、前記ストライカーを一体として引込可能にする構成である（請求項２）。
（２）請求項１において、前記係止部材は、前記突起を前記ガイド部に移行した付勢力解放状態から、前記鉤部に対する前記ストライカーの当接係合を介して前記係止部材、前記スライダー、前記ストライカーを一体として移動することにより該係止部材の摺動を伴って前記付勢力蓄積状態に切り換え、かつ前記斜面部を前記空所に戻し、前記鉤部を（ストライカーの単独の移動を許容するよう）前記空所から逃がす構成である（請求項３）。
（３）請求項１から３の何れかにおいて、前記ストライカーは、保持部材に対し付勢力に抗して突出寸法を変位可能に支持され、又は／及び、前記固定体ないしは前記可動体に装着された取付状態で前記保持部材を介して所定寸法だけ移動可能に支持されることにより、前記引込本体との相対的位置を調整可能になっている構成である（請求項４）。
【発明の効果】
【０００９】
請求項１の発明では、付勢力解放状態から、ストライカー及びスライダーの相対移動により付勢手段に付勢力を蓄積しつつ、突起が案内溝のガイド部から待ち受け保持部に移行して係止すると、係止部材がその突起の移行に連動してスライダーの移動方向と略直交する方向へ摺動し付勢力蓄積状態（待機位置）を保持する。この付勢力蓄積状態は、例えば、係止部材がスライダーの移動方向（これはストライカーの移動方向と同じである）と略直交する方向、つまり最も不用意に動かされない方向であり、その方向へ摺動されない限り係止解除されないため誤作動を生じ難く、課題に挙げたような作動不良を確実に阻止でき、それにより品質及び信頼性を向上できる。
【００１０】
請求項２の発明は、付勢力蓄積状態から引き込みを開始するまでの作動を特定したものであり、特許文献１などに比べて、スライダー及び係止部材を必要とするが、係止部材が突起以外に斜面部及び鉤部を備えるだけで付勢力蓄積状体をより確実に保持できる。また、請求項３の発明は、付勢力解放状態から付勢力を蓄積するまでの作動を特定したものであり、特許文献１などに比べて、スライダー及び係止部材を必要とするが、係止部材が突起以外に斜面部及び鉤部を備えるだけで付勢力解放状態から付勢力蓄積状態により確実に切り換えることができる。
【００１１】
また、以上の各発明は、係止部材が規制手段を介してスムースに摺動されるようにして、付勢力蓄積状体と付勢力解放状態との切り換えが良好に維持されるようにする。
【００１２】
請求項４の発明は、例えば、可動体が引出体であれば該引出体に収納される物品荷重の変化等に起因して、ストライカーと引込本体との相対的な位置を変位ないしは変化したとしても、ストライカーが突出寸法を可変したり、保持部材を介して所定寸法だけ移動可能に支持されているため、該許容された移動範囲内で位置を変更してストライカーを最適位置に調整できる。
【発明を実施するための最良の形態】
【００１３】
本発明の形態例を図面を参照しながら説明する。図１は引込本体を分解した構成図であり、図２と図３は引込本体の構成及び作動特徴を示し、図４と図５はストライカーの保持構成及び作動特徴を示し、図６〜図８は使用例を示している。なお、各図では作図上一部を省略している。以下の説明では、概要、引込本体、ストライカー、使用例、作動の順に詳述する。
【００１４】
（概要）形態の引込機構は、図６に例示されるごとく、用途が引出体８を収納本体９に出し入れする場合であれば、収納本体９及び該収納本体９に移動可能に支持される引出体８のいずれか一方に設けられる引込本体Ａと、他方に設けられて引出体８の所定の移動位置にて引込本体Ａを構成している係止部材３と係脱可能に係合するストライカー組立体Ｂを構成しているストライカー４と、引出体８の移動過程で付勢力を蓄積可能な付勢手段としてのコイルばねＳとを備え、引込本体Ａの係止部材３とストライカー４とが係合ないしは作動連結した状態でコイルばねＳに蓄積された付勢力により引出体８を引き込むものである。
【００１５】
（引込本体）この引込本体Ａは、図１〜図４に示されるように、ストライカー４を受入可能な空所１５を有した概略矩形状のケース１と、ケース１に移動可能に配置されているスライダー２と、突起３４を有しかつスライダー２に対し該スライダーの移動方向と略直交する方向に摺動可能に組み込まれている係止部材３と、スライダー２の移動過程で付勢力を蓄積する前記したコイルばねＳと、スライダー２の移動を制動する回転式ダンパー５とを備えている。このうち、ダンパー５は、ケース５ａと、該ケース内の作動油等で制動される軸及び該軸に装着されたギア５ｂを有している。このダンパー５は省略したり、逆に複数用いることも可能である。
【００１６】
ケース１は、前後方向に細長くなっており、内空間が正面１０及び背面１１と、上下面１２，１３と、一端面１４とで概略区画され、他端面を開口しているとともに、正面１０に設けられてストライカー４を受け入れる断面略コ形状の空所１５を有している。すなわち、空所１５は、正面１０の上下略中間にあって一端面１４から他端面の手前まで延設されている。また、空所１５のうち、一端面１４側である出入口部分１５ａは、それよりも奥側部分よりも幅広つまり上下間隔が大きく形成されている。前後略中間より他端側は、コ形の対向面が切り欠され、空所１５からその切欠部１５ｂを介してケース１の上下空間に通じている。このため、ケース１内は、切欠部１５ｂ側が上下接続された空間（以下、ケース１の切欠部側空間という）で、切欠部１５よりも一端面１４側が空所１５により上・下空間（以下、ケース１の上・下空間という）に分割されている。
【００１７】
正面１０及び背面１１には、空所１５より上側の案内溝１６と、空所１５より下側のガイド溝１７とがそれぞれ対向した状態に設けられている。案内溝１６は、切欠部１５ｂの上側に位置して、後述する係止部材３の突起３４を係止してコイルばねＳを付勢力蓄積状態に保持する縦溝形の待ち受け保持部１６ａ、及び待ち受け保持部１６ａからケース他端面側に延設されて突起３４の摺動を許容して係止部材３をスライダー２と共に移動可能にする横溝形のガイド部１６ｂからなる。ガイド溝１７は、切欠部１５ｂの下側に位置して、空所１５と平行に延設されている。また、背面１１は、複数箇所に下突出部１１ａを有し、各下突出部１１ａを含む箇所にダンパー用取付孔１８が設けられている。取付孔１８には、ダンパー５がそのケース５ａを係合固定した状態に取り付けられる。この例では、ダンパー５が複数の取付孔１８のうち、一カ所の取付孔１８に装着されているが、制動力を増大する場合は他の取付孔１８にもダンパー５が装着される。    
【００１８】
上面１２は、略中間から一端面１４の手前まで開口１２ａされ、後述するコイルばねＳが露出されている。下面１３も、図２（ｂ）のごとく略中間から一端面１４の手前まで開口１３ａされ、後述するスライダー２のラック部２８及び該ラック部２８と噛み合っているダンパー側ギア５ｂが露出されている。符号１９は上面１２側から突設された孔付きの取付部である。符号１９ａは一端面１４側に設けられた取付孔である。
【００１９】
スライダー２は、全体が概略コ形状をなし、基部２０と、基部２０の一側面にあって上側に突出された連結部２４及び軸部２５と、下側に突出された連結部２６及びラック部２７とを有している。基部２０は、下開口したケース状をなし、内部２１が一側面のうち上連結部２４と下連結部２６の間から正面の一部を開設した切欠部２２から目視される。正面及び背面には、切欠部２２より上側の直線溝部２３と、下側の凸部２０ａとがそれぞれ対向した状態に設けられている。各直線溝部２３は、細長い縦溝であり、後述する係止部材３の突起３４とで係止部材３の摺動を制御する規制手段７を構成する。各凸部２０ａは対応するケース側ガイド溝１７と嵌合する。軸部２５は、連結部２４の先端面から突出されており、コイルばねＳを延縮自在に支持する。ラック部２７は、連結部２６に沿って突出されており、凸部２０ａと同様にケース側ガイド溝１７と嵌合する凸部２７ａと、下面に沿って設けられてダンパー側ギア５ｂと噛み合う歯部２８とを有している。
【００２０】
係止部材３は、スライダー側基部の内部２１に摺動可能に配置される略矩形板状をなし、片側のスリット３１を介して設けられた斜面部３３と、斜面部３３の手前に位置し、かつスリット３３の出入口３１ａ及びスリット３３の奥開口３１ｂを区画している鉤部３２と、正面及び背面に突設されて前記した対応する直線溝部２３に嵌合する突部３４とを備えている。鉤部３２及び斜面部３３は、共にケース側空所１５に沿って移動されるストライカー４と当接係合する箇所である。すなわち、斜面部３３は、図７のごとく付勢力蓄積状態からストライカー４が当接係合すると、係止部材３を規制手段７のガイド作用を介して上昇可能にする。鉤部３２は、図８のごとく付勢力解放状態からストライカー４が背面側に当接係合して、スライダー２を係止部材３と共にコイルばねＳの付勢力を蓄積する方向へ移動可能にする。この細部は後述する。
【００２１】
以上のスライダー２及び係止部材３並びにコイルばねＳは、次のような手順にてケース１に組み込まれる。まず、スライダー２は、コイルばねＳを軸部２５に支持し、係止部材３を基部内部２１に挿入した状態で、ケース１に対して一端面１４と対向している他端面の開口からケース内に入れられるとともに、両側の凸部２０ａ，２０ａが対応するガイド溝１７，１７に嵌合される。この場合、係止部材３は、突起３４を形成するシャフトなどの突起形成部材を後付けする。具体的には、スライダー２が基部内部２１に係止部材３を挿入した状態でケース１内に配置された後、例えば、突起形成部材（シャフト）がケース正面側案内溝１６、基部２０の一方直線溝部２３、係止部材３の突起用貫通孔、基部２０の他方直線溝部２３、ケース背面側案内溝１６に挿通されることで、スライダー２及び係止部材３が突起形成部材（つまり突起３４）を介してケース１に組み付けられる。これにより、引込本体Ａが完成される。
【００２２】
（ストライカー）このストライカー４は、図４及び図５に示されるように、保持部材４２及びベース４３と共にストライカー組立体Ｂとして構成されており、保持部材４２に対し付勢ばね４１の付勢力に抗して突出寸法を変位可能に支持されているとともに、ベース４３に対し保持部材４２を所定寸法だけ移動可能に支持されることで引込本体Ａとの相対的位置を調整可能となっている。
【００２３】
このうち、ストライカー４は鋼材であり、支持部４０に対し一体的に突設されている。支持部４０は、両側面に設けられた係止爪４０ａと、ストライカー４を突出している側と反対側を凹状に形成した穴部４０ｂとを有している。保持部材４２は概略Ｔ形であり、支持部４０を摺動自在に配置する保持穴を形成しているとともに、両側面にそれぞれ設けられているガイド孔４２ａ及び凸部４２ｂを有している。両側のガイド孔４２ａは、前後方向に延び、支持部４０が穴部４０ｂに付勢ばね４１を配置した状態で保持部材４２の保持穴に挿入されたとき、係止爪４０ａと嵌合することで支持部４０を摺動自在に抜け止めする。凸部４２ｂは、前側でガイド孔４２ａを挟んだ上下に設けられている。
【００２４】
ベース４３は、板部４４及び板部４４の片側に設けられた張出部４６を一体に有している。板部４４と張出部４６の間は、保持空間４７が区画形成され、保持空間４７の奥側が側壁４８で閉じられている。板部４４及び張出部４６には、上下に延びる規制溝４４ａ及び４６ｂが対向して設けられるとともに、左右に延びる対の凹部４５及び凹部４６ａが対向して設けられている。凹部４５及び凹部４６ａは、規制溝４４ａ及び４６ｂに通じており、各凸部４２ｂを嵌合した状態で規制溝４４ａ及び４６ｂまで誘導可能にする。側壁４８には長孔４９が設けられている。以上のベース４３には、保持部材４２がストライカー４を組み付けた状態で、各凸部４２ｂを凹部４５及び凹部４６ａに嵌合して保持空間４７内へ移動されると、ストライカー４が長孔４９から外へ突出され、かつ各凸部４２ｂが凹部４５及び凹部４６ａから規制溝４４ａ及び４６ｂに嵌合される。これにより、保持部材４２は、ストライカー４を突出寸法を付勢力に抗して可変可能に支持し、また、ベース４３に対して各凸部４２ｂを規制溝４４ａ及び４６ｂに摺動可能に嵌合した状態に支持されて、ストライカー４が長孔４９に対し孔寸法に応じた距離だけ上下に移動可能となる。符号４４ｂと４４ｃはベース４３に付設された取付孔である。
【００２５】
なお、本発明のストライカー４は、ストライカー単独で用いられる固定タイプ、保持部材４２に対し付勢ばね４１の付勢力に抗して突出寸法を変位可能に支持されることで引込本体Ａとの相対的位置を調整可能になっている一方向調整タイプ、更に収納本体９等の固定体ないしは引出体８等の可動体に装着された取付状態でベース４２に対する保持部材４２を所定寸法だけ移動可能に支持されることで引込本体Ａとの相対的位置を調整可能になっている二方向調整式タイプ、それらが要求品質に応じて選択される。
【００２６】
（使用例）図６は以上の引込機構を引出体８の引き込みに適用した一例である。この配置では、引込本体Ａが収納本体９の内側面に取り付けられるとともに、ストライカー組立体Ｂが引出体８の後端面８ｂに取り付けられている。この場合、引込本体Ａは、上記したケース側取付部１９や取付孔１９ａに挿入されるねじ等を使用して固着される。ストライカー組立体Ｂは、上記した取付孔４４ｂ，４４ｃに挿入されるねじ等を使用して固着されるが、その際、ストライカー４が引込本体Ａの空所１５に対応して、引出体８の側面８ａから突出するよう位置決めされる。なお、他の配置としては、引込本体Ａを引出体８側に取り付け、それに対応してストライカー組立体Ｂを収納本体９側に取り付けることも可能である。また、引込本体Ａ及びストライカー組立体Ｂは、可動体を２組使用して引き込むこともあるが、そのような場合、引出体８であればもう一方は上記形態に対し左右対称形となる。
【００２７】
（作動）以上の引込機構の作動を図２と図３、及び図７と図８を参照しながら詳述する。なお、図７と図８では、図６の使用例を想定して主な作動を示したものであり、各部材の関係を明らかにするため模式化されている。
【００２８】
（１）まず、引込本体Ａの単独での作動を明らかにする。この組立体Ａは、コイルばねＳが図２（この点は、図２には示されていないが、軸部２５が図６から左方向へ移動された状態を想定すれば明らかである）のごとく付勢力を蓄積した付勢力蓄積状態と、コイルばねＳが図３（図６を参照）のごとく付勢力を解放した付勢力解放状態との間で切り換えられる。この引込機構では、付勢力蓄積状態において、コイルばねＳはスライダー２（の軸部２５）の移動を介して付勢力を最大まで蓄積している。係止部材３は、突起３４が基部側直線溝部２３の下側に移行された状態で、案内溝１６の待ち受け保持部１６ａに係止されて、付勢力蓄積状態を保持している。そして、この付勢力蓄積状態から、突起３４が待ち受け保持部１６ａから係止解除されてガイド部１６ｂに逃がされると、スライダー２、係止部材３がコイルばねＳの付勢力で一体として空所１５及びガイド部１６ｂに沿って移動される。この係止解除は、後述するように斜面部３３に対するストライカー組立体Ｂ（のストライカー４）の当接に起因した係止部材３の上昇を伴って行われる。係止解除されると、ストライカー組立体Ｂは、鉤部３２に対するストライカー４の当接係合を保ってスライダー２と連動して移動、つまり上記ダンパー５で制動されながら自動的に引き込まれることになる。この引込機構では、付勢力解放状態において、コイルばねＳは図６のごとくスライダー２の移動を介して付勢力を解放ないしは付勢力を最小にしている。係止部材３は、図３のごとく突起３４が基部側直線溝部２３の上側に移行された状態で、案内溝１６のガイド部１６ｂに移行されている。
【００２９】
（２）図７（ａ）は、ストライカー４が引込本体Ａのケース側空所１５に入ったときの状態である。この引込機構では、互いの位置関係が変化したとき、ストライカー組立体Ｂがその変化を矯正して吸収可能となっている。これは、上記図６の使用例だと、例えば、引出体８の積載量や収納荷重の変化により、ストライカー組立体Ｂのストライカー４と引込本体Ａの空所１５（そこに突出する係止部材３の斜面部３３や鉤部３４）との相対位置が変化し、ストライカー４と斜面部３３とが正常に当接されなくという問題を解消するものである。すなわち、この引出機構では、ストライカー組立体Ｂが引込本体Ａに接近されると、（ア）ストライカー４がケース１の空所１５のうち幅広の出入口部分１５ａで受け入れられて幅細の空所１５にセンタリングされながら移動される。（イ）ストライカー４が保持部材４２に対し付勢ばね４１の付勢力に抗して突出寸法を可変する。（ウ）上記したごとくストライカー４が保持部材４２の各凸部４２ｂをベース側の規制溝４４ａ及び４６ｂに嵌合した状態に支持されるとともに、長孔４９に対し孔寸法に応じた距離だけ上下に自在に動く。この引込機構では、ストライカー４がそれらの相乗作用により位置を変更して最適位置に調整され、それにより相対位置の変化を効率よく確実に吸収し誤作動をなくする。
【００３０】
（３）図７は、ストライカー組立体Ｂが引込本体Ａに係合して付勢力により引き込まれるときの引出体等の可動体の引込作動を示している。すなわち、この引込機構では、突起３４を待ち受け保持部１６ａに係止した付勢力蓄積状態から、ストライカー４が図７（ａ）から（ｂ）のごとく空所１５を移動すると、まず、ストライカー４が係止部材側スリットの出入口３１ａに入って斜面部３３に当接する。すると、斜面部３３がストライカー４より上向きの応力を受けて、係止部材３を規制手段７のガイド作用を介して上昇し、その結果、突起３４及び鉤部３２が共に上昇され、かつ、突起３４が係止解除してガイド部１６ｂに移行する。これによって、この引込機構では、斜面部３３を空所１５から逃がし、鉤部３２をストライカー４に当接係合した状態で、コイルばねＳに蓄積された付勢力により図７（ｃ）のごとく係止部材３、スライダー２、ストライカー４を一体として引き込むことになる。
【００３１】
（４）図８は、上記した引出体８等の可動体が図７（ｃ）の引き込まれた状態から再び引き出し方向へ移動されるときの作動を示している。すなわち、この引込機構では、突起３４をガイド部１６ｂに移行した付勢力解放状態から、ストライカー組立体Ｂ（のストライカー４）が再び図８のごとく引込本体Ａから離れる方向へ移動される過程において、まず、ストライカー４が鉤部３２の背面に当接係合する。そして、ストライカー４がその鉤部３２に対する当接係合を保って図８（ｂ）のごとく係止部材３及びスライダー２と一体として移動されると、突起３４がガイド部１６ｂから一段下がった待ち受け保持部１６ａに移行して係止される。換言すると、この引込機構では、ストライカー４が引出体８等の引き出し操作により図７（ｃ）から図８（ｂ）の箇所まで移動される過程で、スライダー２も連動して同方向へ移動されるためコイルばねＳに付勢力を蓄積することになり、ストライカー４が図８（ｂ）から更に同方向へ移動されると、鉤部３２を空所１５から逃がし、斜面部３３を再び空所１５に戻した状態で、突起３４が待ち受け保持部１６ａに係止されることになる。
【００３２】
なお、本発明の引込機構は、請求項１で特定された要件を除いて適宜に変更可能なものである。また、本発明の引込機構は、用途的な制約は特になく、例えば、可動体が特許文献１のごとく引戸であれば、上記引き込み方向又は引き出し方向が引戸の閉方向ないしは開方向と置き換えられることになる。
【図面の簡単な説明】
【００３３】
【図１】発明形態の引込機構を構成している引込本体を示す分解斜視図である。
【図２】上記引込本体を付勢力蓄積状態で示し、（ａ）は上面図、（ｂ）は正面図、（ｃ）は背面図である。
【図３】上記引込本体を付勢力解放状態で示し、（ａ）は上面図、（ｂ）は正面図、（ｃ）は背面図である。
【図４】上記ストライカーの構成を示す分解斜視図である。
【図５】上記ストライカーの細部を示し、（ａ）は正面図、（ｂ）は背面図、（ｃ）は左側面図、（ｄ）は右側面図である。
【図６】上記引込本体とストライカーとの配置例を示し、（ａ）は上から見た模式図、（ｂ）は（ａ）の状態を側面から見た模式図である。
【図７】上記引込機構の引き込みを示し、（ａ）はストライカーと引込本体の空所との関係を示す模式図、（ｂ）は突起が係止解除されるときの作動を示す模式図、（ｃ）は引き込みを示す模式図である。
【図８】上記引込機構の付勢力蓄積を示し、（ａ）は付勢力蓄積の最終段階を示す模式図、（ｂ）は付勢力蓄積完了時の状態を示す模式図、（ｃ）はストライカーを引込本体から離れる方向へ移動している状態を示す模式図である。
【図９】特許文献１の引込機構を説明するための参考図である。
【符号の説明】
【００３４】
Ａ…引込本体
Ｂ…ストライカー組立体（４０は支持部、４２は保持部材、４３はベース）
１…ケース（１０は正面、１１は背面、１２と１３は上下面、１７はガイド溝）
２…スライダー（２０は基部、２５は軸部、２７はラック部、２８は歯部）
３…係止部材（３０は一端部、３２は他端部、３１ａは出入口、３１ｂは奥開口）
４…ストライカー
５…ダンパー（５ａはケース、５ｂはギア部）
７…規制手段（２３は直線溝部、３４は突部）
８…引出体（可動体）
９…収納本体（固定体）
１５…空所（１５ａは出入口部分）
１６…案内溝（１６ａは待ち受け保持部、１６ｂはガイド部）
４３…付勢ばね
Ｓ…コイルばね（付勢手段）
【図１】
0005192831.tif 000002
【図２】
0005192831.tif 000003
【図３】
0005192831.tif 000004
【図４】
0005192831.tif 000005
【図５】
0005192831.tif 000006
【図６】
0005192831.tif 000007
【図７】
0005192831.tif 000008
【図８】
0005192831.tif 000009
【図９】
0005192831.tif 000010